(57)【要約】【課題】簡単な構造で野地板への防水性を高めることができ、しかも施工が簡易である屋根構造を提供すること。【解決手段】垂木１０と、垂木１０の上面に設けられた野地部材２０と、野地部材２０の上面に設けられた垂木１０と平行して配置され、垂木１０の延設される方向を長手方向とするガーターバンクテープ３０と、野地部材２０及びガーターバンクテープ３０上に積層された防水シート４０と、野地部材２０及びガーターバンクテープ３０の上側に設けられた瓦７０とを備えている。【選択図】      図１
2010138680.tif 000002
【特許請求の範囲】
【請求項１】
垂木と、
この垂木の上面に設けられた野地部材と、
この野地部材の上面に設けられた上記垂木と平行して配置され、上記垂木の延設される方向を長手方向とするシート支持部材と、
上記野地部材及び上記シート支持部材上に積層された防水性のシートと、
上記野地部材及び上記シート支持部材の上側に設けられた屋根材とを備えていることを特徴とする屋根構造。
【請求項２】
上記シート支持部材は、上記垂木の延設される方向に溝が形成されていることを特徴とする請求項１に記載の屋根構造。
【請求項３】
上記シートは、上記シート支持部材の位置で山となり、上記シート支持部材間で谷となるように設置されていることを特徴とする請求項１に記載の屋根構造。
【請求項４】
上記シートを上記シート支持部材に固定する固定部材をさらに備えていることを特徴とする請求項１に記載の屋根構造。
【請求項５】
上記シート支持部材は、長手方向に直交する断面が上辺が下辺より短い台形上に形成されていることを特徴とする請求項１に記載の屋根構造。
【発明の詳細な説明】
【技術分野】
【０００１】
本発明は、家屋等に用いられる屋根構造に関し、特に防水性能を向上させることができるものに関する。
【背景技術】
【０００２】
家屋等の屋根等に屋根構造が用いられており、屋根構造は一般に、垂木に設けられた野地板に、野地板の傾斜方向とは直交する方向に瓦桟を設け、この瓦桟に釘等で瓦を固定することで形成されている。
【０００３】
野地板上には防水性を高めるために防水シートがタッカー等を用いて設置されている（例えば特許文献１参照）。また、防水シート上には瓦等の屋根部材が瓦桟を介して配置されている。瓦桟は、釘により防水シートを貫通して野地板に固定されるのが一般的である。
【特許文献１】特開２００８−２６１１８８公報
【発明の開示】
【発明が解決しようとする課題】
【０００４】
上述した屋根構造では、次のような問題があった。すなわち、防水シートを野地板に固定するためのタッカーは、防水シートに孔を開けることになるため、防水性に問題が生じることがあった。なお、瓦桟を野地板に固定するための釘も防水シートを貫通しているため、同様に防水性の問題が生じる。
【０００５】
また、タッカーが配された位置に隣接する防水シートを重ねて防水性を維持する方法も実施されているが、重ねた上のシートは固定する手段が無いため、風が強い場合、雨水の浸入や防水シートがばたつき、はがれ飛ぶ要因となる。
【０００６】
そこで本発明は、簡単な構造で野地板への防水性を高めることができるとともに、通気層としての間隙ができ、瓦桟の腐朽を防ぎ超長寿化となり、しかも施工が簡易である屋根構造を提供することを目的としている。
【課題を解決するための手段】
【０００７】
上記課題を解決し目的を達成するために、本発明の屋根構造は次のように構成されている。
【０００８】
垂木と、この垂木の上面に設けられた野地部材と、この野地部材の上面に設けられた上記垂木と平行して配置され、上記垂木の延設される方向を長手方向とするシート支持部材と、上記野地部材及び上記シート支持部材上に積層された防水性のシートと、上記野地部材及び上記シート支持部材の上側に設けられた屋根材とを備えていることを特徴とする。
【発明の効果】
【０００９】
本発明によれば、簡単な構造で野地板への防水性を高めることができるとともに、通気層としての間隙ができ、瓦桟の腐朽を防ぎ超長寿化となり、しかも施工を簡易に行うことが可能となる。
【発明を実施するための最良の形態】
【００１０】
図１は本発明の第１の実施の形態に係る屋根構造１の要部を示す断面図、図２は屋根構造１の要部を示す斜視図、図３は屋根構造１の要部を示す斜視図、図４は屋根構造１に組み込まれたガーターバンクテープ３０を示す平面図である。
【００１１】
図１及び図２に示すように、屋根構造１は、複数の垂木１０と、これら垂木１０上に渡された野地部材２０と、野地部材２０上であって垂木１０に対応する位置に配置されたバンクテープ（シート支持部材）３０と、この野地部材２０及びガーターバンクテープ３０上に配置された防水シート（下葺材／透湿防水シート）４０と、この防水シート４０を挟んでガーターバンクテープ３０上に設けられた縦桟５０と、この縦桟５０に直交する向きに配置された瓦桟６０と、この瓦桟６０に取り付けられた瓦（屋根材）７０とを備えている。
【００１２】
なお、図中Ｓは固定釘を示している。固定釘Ｓは、瓦桟６０、縦桟５０、防水シート４０、ガーターバンクテープ３０、野地板２０を貫通して垂木１０に止められているものと、瓦７０と瓦桟６０を止めているものがある。固定釘Ｓにより、瓦７０は野地板２０に固定されていることとなる。
【００１３】
ガーターバンクテープ３０は、高さ１〜十数ｍｍ程度の樹脂材製又は木製の細長形状の部材であって、その長手方向に直交する断面は矩形状となっている。
【００１４】
防水シート４０は、このガーターバンクテープ３０の位置で山となり、ガーターバンクテープ３０相互間で谷となるように設置されている。なお、防水シート４０は横方向に設置し、屋根の上方に位置する防水シート４０を下方に位置する防水シート４０の上に重ねる。
【００１５】
なお、図２及び図３中１００はバンクキャップを示しており、ガーターバンクテープ３０上に防水シート４０を挟持するものであり、弾力性のある板材（金属材や樹脂材）で形成されている。
【００１６】
このように構成された屋根構造１では、防水シート４０がガーターバンクテープ３０の位置で山となり、ガーターバンクテープ３０相互間で谷となるように設置されているため、防水シート４０上に落ちた水滴は谷の部分に集まって軒先側へ流れる。すなわち、防水シート４０の山の部分には水が溜まることがない。したがって、固定釘Ｓによって防水シート４０に孔が形成されていても、その隙間から野地板２０側へ水が透過することはない。このため、防水シート４０の防水性を高めることができる。また、瓦桟６０と防水シート４０との隙間を十分にとることができ、通気量を確保することができる。
【００１７】
なお、防水シート４０はバンクキャップ１００で止めつけられているので、風が入ったときに雨水の浸入や風によるばたつき、はがれ飛ぶようなことはない。
【００１８】
上述したように本実施の形態に係る屋根構造１においては、ガーターバンクテープ３０によって防水シート４０に山と谷の部分を形成し、谷の部分に水を集めることで山の部分に設けられた固定釘Ｓの孔から下方へ水が漏れることを防止することができる。なお、固定釘Ｓの代わりに、タッカー、ビス等を用いても良い。
【００１９】
また、防水シート４０をガーターバンクテープ３０上に被せた場合であっても、ガーターバンクテープ３０の位置は容易に目視することができ、固定釘Ｓを打つことができるので、施工も容易である。
【００２０】
図４は隅棟における屋根構造１の要部を示す平面図である。方向の異なる野地板２０が対向する隅棟においても、同様に防水シート４０を止めつけることができる。このとき、上方から下方に向けて防水シート４０Ａを取り付ける。なお、固定釘Ｓで止める位置は、ガーターバンクテープ３０上であるため、前述したように水が下方に漏れ伝わることはない。なお、図４中Ｑは固定する位置を示している。
【００２１】
図５はガーターバンクテープ３０の変形例に係るガーターバンクテープ３０Ａを示す断面図である。ガーターバンクテープ３０Ａは、長手方向に沿って溝３１が設けられている。溝３１が設けられているので、ガーターバンクテープ３０Ａ上に水が伝わった場合には、溝３１を介して軒先側に流すことが可能となる。
【００２２】
図６はガーターバンクテープ３０Ａを接続部材３２を介して接続する状態を示す斜視図である。接続部材３２は板材を折曲して形成している。接続部材３２により溝３１を塞ぐことなく、接続することができる。防水シート上にガーターバンクテープ３０Ａをタッカー・ビス等で取り付けたとき、タッカー・ビス等により雨水が漏れても、溝３１を介して、軒先に排出することができる。
【００２３】
図７は本発明の第２の実施の形態に係る屋根構造１Ａの要部を示す斜視図である。なお、これらの図において図１，２と同一機能部分は同一符号を付し、その詳細な説明は省略する。
【００２４】
屋根構造１Ａにおいては、ガーターバンクテープ３０の代わりにガーターバンクテープ３０Ｂを用いている。ガーターバンクテープ３０Ｂは、長手方向に直交する断面が上辺が下辺より短い台形状に形成されている。なお、図８，９に示すように、ガーターバンクテープ３０Ｂは天井面３４及びテーパ面３５を有している。天井面３４には縦桟５０が載置されて固定される。また、テーパ面３５は、防水シート４０が倣って配置される。このため、防水シート４０と野地板２０との間の隙間を最小限に抑えることができるので、防水シート４０がばたつくことがない。
【００２５】
図１０は、ガーターバンクテープ３０Ｂを用いた場合のバンクキャップ１１０を示している。この場合も、バンクキャップ１１０で止めつけられているので、風が入ったときにバタつくことはない。
【００２６】
図１１は本発明の第３の実施の形態に係る屋根構造１Ｂの要部を示す斜視図である。なお、これらの図において図１，２と同一機能部分は同一符号を付し、その詳細な説明は省略する。
【００２７】
屋根構造１Ｂにおいては、ガーターバンクテープ３０をそのまま用い、縦桟５０が設けられていない場合でも雨水に対する防水を高めることができる。また、ガーターバンクテープ３０の代わりにガーターバンクテープ３０Ｃを用いてもよい。ガーターバンクテープ３０Ｃは、ガーターバンクテープ３０よりも厚さがあり、十分な高さを確保することで、縦桟５０を兼ねている。このように構成することで部品点数を減らすことができ、設置コストを低減することができる。
【００２８】
なお、本発明は前記実施の形態に限定されるものではなく、本発明の要旨を逸脱しない範囲で種々変形実施可能であるのは勿論である。
【図面の簡単な説明】
【００２９】
【図１】図１は本発明の第１の実施の形態に係る屋根構造の要部を示す断面図。
【図２】同屋根構造の要部を示す斜視図。
【図３】同屋根構造の要部を示す斜視図。
【図４】同屋根構造を隅棟に適用した例を示す平面図。
【図５】同バンクテープの変形例を示す断面図。
【図６】同バンクテープを接続部材を介して接続する状態を示す斜視図。
【図７】本発明の第２の実施の形態に係る屋根構造の要部を示す斜視図。
【図８】同屋根構造に組み込まれたバンクテープを示す断面図。
【図９】同バンクテープの要部を示す斜視図。
【図１０】同バンクテープにバンクキャップを取り付けた状態を示す斜視図。
【図１１】本発明の第３の実施の形態に係る屋根構造１Ｂの要部を示す斜視図。
【符号の説明】
【００３０】
１，１Ａ，１Ｂ…屋根構造、１０…垂木、２０…野地部材、３０，３０Ａ，３０Ｂ，３０Ｃ…バンクテープ（シート支持部材）、３１…溝、４０…防水シート、５０…縦桟、６０…瓦桟、７０…瓦（屋根材。
【図１】
2010138680.tif 000003
【図２】
2010138680.tif 000004
【図３】
2010138680.tif 000005
【図４】
2010138680.tif 000006
【図５】
2010138680.tif 000007
【図６】
2010138680.tif 000008
【図７】
2010138680.tif 000009
【図８】
2010138680.tif 000010
【図９】
2010138680.tif 000011
【図１０】
2010138680.tif 000012
【図１１】
2010138680.tif 000013